(57)【要約】【課題】小型軽量化を図ることができるバスバを提供する。【解決手段】バスバ１０は、１枚の金属板１０’から打ち抜かれ、二点鎖線部分が折り曲げられて形成される。バスバ１０は、電源が入力される電源入力部１と、リレーの端子が差し込まれる音叉状端子部２と、プリント基板６にはんだ付けされる複数の基板接続部３，４，５と、配索部１６と、を有している。配索部１６は、電源入力部１から帯状に延びた幹部１１と、幹部１１から音叉状端子部２及び各基板接続部３，４，５側に分岐した複数の枝部１２，１３，１４，１５と、を有している。幹部１１は、その幅が、電源入力部１から離れるにしたがって段階的に狭くなるように形成されている。すなわち、幹部１１における枝部１２よりも電源入力部１から離れた部分の幅Ｗ３，Ｗ４は、電源入力部１から枝部１２までの部分の幅Ｗ１よりも狭く形成されている。【選択図】図２
2014007912.tif 000002
【特許請求の範囲】
【請求項１】
金属板から打ち抜かれて形成され、電源入力部と、複数の出力部と、前記電源入力部から複数の出力部までの間に配索された配索部と、を有するバスバにおいて、
前記配索部が、幹部と、該幹部から各出力部側に分岐した複数の枝部と、を有し、
前記幹部の幅が、前記電源入力部から離れるにしたがって段階的に狭くなるように形成されている
ことを特徴とするバスバ。
【請求項２】
前記枝部が前記幹部に対して折り曲げられており、
展開状態において、少なくとも１つの前記枝部が前記幹部と平行に延びている
ことを特徴とする請求項１に記載のバスバ。
【請求項３】
請求項１または請求項２に記載のバスバを有していることを特徴とする電気接続箱。
【発明の詳細な説明】
【技術分野】
【０００１】
本発明は、金属板から打ち抜かれて形成されたバスバ及び該バスバを有する電気接続箱に関するものである。
【背景技術】
【０００２】
図７は従来のバスバの展開図である。同図に示すバスバ３３０は、自動車用電気接続箱に配電部材として用いられるものである。また、前記電気接続箱は、バスバ３３０、プリント基板、ヒューズ・ヒュージブルリンク等の電子部品、これらを収容した筐体、などを有している（特許文献１等を参照。）。
【０００３】
上記バスバ３３０は、１枚の金属板３３０’から打ち抜かれ、二点鎖線部分が折り曲げられて形成される。このバスバ３３０は、コネクタやヒュージブルリンクが接続されて電源が入力される電源入力部３０１と、プリント基板にはんだ付けされる複数の基板接続部３０３，３０４，３０５と、電源入力部３０１から複数の基板接続部３０３，３０４，３０５までの間に配索された配索部３３６と、を有している。また、配索部３３６は、電源入力部３０１から直線状に延びた幹部３３１と、幹部３３１から各基板接続部３０３，３０４，３０５側に分岐した複数の枝部３３３，３３４，３３５と、を有している。このようなバスバ３３０は、電源入力部３０１から入力された電源を、基板接続部３０３，３０４，３０５からプリント基板に分配する。
【先行技術文献】
【特許文献】
【０００４】
【特許文献１】特開２００７−４３８１０号公報
【発明の概要】
【発明が解決しようとする課題】
【０００５】
しかしながら、上述した従来のバスバ３３０においては、幹部３３１の幅Ｗ３０がその一端から他端にわたって一定であった。すなわち、電源入力部３０１の許容電流値が６０アンペアの場合、幹部３３１の幅は、電源入力部３０１から枝部３３３までの部分においては６０アンペアを許容する幅（断面積）である必要があるが、枝部３３３よりも電源入力部３０１から離れた部分においては、枝部３３３に分配される電流値分を差し引いた幅で良い。同様に、枝部３３４よりも電源入力部３０１から離れた部分においては、枝部３３４に分配される電流値分を差し引いた幅で良い。それにもかかわらず、従来のバスバ３３０においては幹部３３１が一定幅に形成されており、そのために、使用する金属材料の量が多くなり、コスト高や重量増加の要因となっているという問題があった。
【０００６】
したがって、本発明は、小型軽量化を図ることができるバスバ及び該バスバを有する電気接続箱を提供することを目的とする。
【課題を解決するための手段】
【０００７】
上記目的を達成するために請求項１に記載された発明は、金属板から打ち抜かれて形成され、電源入力部と、複数の出力部と、前記電源入力部から複数の出力部までの間に配索された配索部と、を有するバスバにおいて、前記配索部が、幹部と、該幹部から各出力部側に分岐した複数の枝部と、を有し、前記幹部の幅が、前記電源入力部から離れるにしたがって段階的に狭くなるように形成されていることを特徴とするバスバである。
【０００８】
請求項２に記載された発明は、請求項１に記載された発明において、前記枝部が前記幹部に対して折り曲げられており、展開状態において、少なくとも１つの前記枝部が前記幹部と平行に延びていることを特徴とするものである。
【０００９】
請求項３に記載された発明は、請求項１または請求項２に記載のバスバを有していることを特徴とする電気接続箱である。
【発明の効果】
【００１０】
請求項１に記載された発明によれば、前記幹部の幅が、前記電源入力部から離れるにしたがって段階的に狭くなるように形成されているので、小型軽量化を図ることができるバスバを提供することができる。
【００１１】
請求項２に記載された発明によれば、前記枝部が前記幹部に対して折り曲げられており、展開状態において、少なくとも１つの前記枝部が前記幹部と平行に延びているので、材料ロスの少ない板取りが可能になり、材料歩留まりを向上させることができる。
【００１２】
請求項３に記載された発明によれば、請求項１または請求項２に記載のバスバを有しているので、小型軽量化を図ることができる電気接続箱を提供することができる。
【図面の簡単な説明】
【００１３】
【図１】本発明の第１の実施形態にかかるバスバがプリント基板に接続された状態を示す平面図である。
【図２】図１に示されたバスバの展開図である。
【図３】本発明の第２の実施形態にかかるバスバの平面図である。
【図４】図３に示されたバスバの展開図である。
【図５】本発明の第３の実施形態にかかるバスバの平面図である。
【図６】図５に示されたバスバの展開図である。
【図７】従来のバスバの展開図である。
【発明を実施するための形態】
【００１４】
（第１の実施形態）
本発明の第１の実施形態にかかる「バスバ」及び「電気接続箱」を図１〜２を参照して説明する。図１は本発明の第１の実施形態にかかるバスバがプリント基板に接続された状態を示す平面図である。図２は図１に示されたバスバの展開図である。
【００１５】
図１に示すように、本発明の第１の実施形態にかかるバスバ１０は、自動車用の電気接続箱７に適用される。この電気接続箱７は、前記バスバ１０を含む複数のバスバ１０，７６，７７，７８と、プリント基板６と、プリント基板６に固定されたコネクタ７１，７２及びヒューズブロック７３と、プリント基板６にはんだ付けされたリレー７４及び抵抗７５と、これらを収容した筐体（不図示）などを有している。
【００１６】
上記バスバ１０は、図２に示す１枚の金属板１０’から打ち抜かれ、図２中の二点鎖線部分が折り曲げられて形成される。このバスバ１０は、コネクタやヒュージブルリンクが接続されて電源が入力される長方形板状の電源入力部１と、音叉形状に形成され、リレーの端子が差し込まれる音叉状端子部２と、プリント基板６にはんだ付けされる複数の基板接続部３，４，５と、電源入力部１から音叉状端子部２及び複数の基板接続部３，４，５までの間に配索された配索部１６と、を有している。
【００１７】
また、上記配索部１６は、電源入力部１から帯状に延びた幹部１１と、幹部１１から音叉状端子部２及び各基板接続部３，４，５側に分岐した複数の枝部１２，１３，１４，１５と、を有している。このようなバスバ１０は、電源入力部１から入力された電源を、音叉状端子部２及び基板接続部３，４，５から、リレー及びプリント基板６に分配する。また、音叉状端子部２及び基板接続部３，４，５は、特許請求の範囲の「出力部」に相当する。
【００１８】
また、上記幹部１１は、その幅が、電源入力部１から離れるにしたがって段階的に狭くなるように形成されている。すなわち、幹部１１における枝部１２よりも電源入力部１から離れた部分の幅Ｗ３，Ｗ４は、電源入力部１から枝部１２までの部分の幅Ｗ１よりも狭く形成されている。これは、電源入力部１から枝部１２までの部分においては電源入力部１に入力される電流値を許容する幅（断面積）である必要があるが、枝部１２よりも電源入力部１から離れた部分においては、枝部１２に分配される電流値分を差し引いた幅で良いからである。
【００１９】
また、幹部１１は、図２中のＡ部、すなわち、枝部１２から枝部１３までの間及び枝部１３から枝部１４までの間において直角に曲がっている。幹部１１の「幅」は、２本の直線間の距離であることから、このように幹部１１が折れ曲がった部分では、「幅」と呼び得るものが、Ｗ２とＷ３との２通り存在するが、その場合は、短い方の幅Ｗ３を「幹部１１の幅」とする。これは、折れ曲がったＡ部における許容電流値が短い方の幅Ｗ３によって決まるからである。
【００２０】
このように、バスバ１０は、幹部１１の幅が、電源入力部１から離れるにしたがって段階的に狭くなるように形成されているので、小型軽量化を図ることができる。また、幹部１１の余分な箇所を削っているので、プリント基板６上にスペースができ、リレー７４や抵抗７５の配置自由度を高くすることができる。
【００２１】
（第２の実施形態）
本発明の第２の実施形態にかかる「バスバ」を図３〜４を参照して説明する。また、図３〜４において、第１の実施形態と同一構成部分には同一符号を付して説明を省略する。図３は本発明の第２の実施形態にかかるバスバの平面図である。図４は図３に示されたバスバの展開図である。
【００２２】
図３に示すバスバ２０は、図４に示す１枚の金属板２０’から打ち抜かれ、図４中の二点鎖線部分が折り曲げられて形成される。このバスバ２０は、電源入力部１と、プリント基板にはんだ付けされる複数の基板接続部３，４，５と、電源入力部１から複数の基板接続部３，４，５までの間に配索された配索部２６と、を有している。
【００２３】
また、上記配索部２６は、電源入力部１から直線状に延びた幹部２１と、幹部２１から各基板接続部３，４，５側に分岐した複数の枝部２３，２４，２５と、を有している。このようなバスバ２０は、電源入力部１から入力された電源を、基板接続部３，４，５から、プリント基板に分配する。
【００２４】
また、上記幹部２１は、その幅が、電源入力部１から離れるにしたがって段階的に狭くなるように形成されている。すなわち、幹部２１における枝部２３よりも電源入力部１から離れた部分の幅Ｗ７は、電源入力部１から枝部２３までの部分の幅Ｗ６よりも狭く形成されている。これは、電源入力部１から枝部２３までの部分においては電源入力部１に入力される電流値を許容する幅（断面積）である必要があるが、枝部２３よりも電源入力部１から離れた部分においては、枝部２３に分配される電流値分を差し引いた幅で良いからである。このように、バスバ２０は、幹部２１の幅が、電源入力部１から離れるにしたがって段階的に狭くなるように形成されているので、小型軽量化を図ることができる。
【００２５】
また、上記枝部２３，２４，２５は、図３に示すように、幹部２１に対して折り曲げられているが、図４に示すように、展開状態において、幹部２１の延長線上に延びている。さらに、展開状態において、電源入力部１に最も近い枝部２３が、枝部２４，２５側に延長された幹部２１と平行に延びている。バスバ１０をこのような形状にすることで、材料ロスの少ない板取りが可能になり、材料歩留まりを向上させることができる。
【００２６】
（第３の実施形態）
本発明の第３の実施形態にかかる「バスバ」を図５〜６を参照して説明する。また、図５〜６において、第１，２の実施形態と同一構成部分には同一符号を付して説明を省略する。図５は本発明の第３の実施形態にかかるバスバの平面図である。図６は図５に示されたバスバの展開図である。
【００２７】
図５に示すバスバ３０は、図６に示す１枚の金属板３０’から打ち抜かれ、図６中の二点鎖線部分が折り曲げられて形成される。このバスバ３０は、電源入力部１と、プリント基板にはんだ付けされる複数の基板接続部３，４，５と、電源入力部１から複数の基板接続部３，４，５までの間に配索された配索部３６と、を有している。
【００２８】
また、上記配索部３６は、電源入力部１から直線状に延びた幹部３１と、幹部３１から各基板接続部３，４，５側に分岐した複数の枝部３３，３４，３５と、を有している。これら枝部３３，３４，３５は、幹部３１と直交する方向に延びている。このようなバスバ３０は、電源入力部１から入力された電源を、基板接続部３，４，５から、プリント基板に分配する。
【００２９】
また、上記幹部３１は、その幅が、電源入力部１から離れるにしたがって段階的に狭くなるように形成されている。すなわち、幹部３１における枝部３３よりも電源入力部１から離れた部分の幅Ｗ１０は、電源入力部１から枝部３３までの部分の幅Ｗ９よりも狭く形成されている。これは、電源入力部１から枝部３３までの部分においては電源入力部１に入力される電流値を許容する幅（断面積）である必要があるが、枝部３３よりも電源入力部１から離れた部分においては、枝部３３に分配される電流値分を差し引いた幅で良いからである。このように、バスバ３０は、幹部３１の幅が、電源入力部１から離れるにしたがって段階的に狭くなるように形成されているので、小型軽量化を図ることができる。
【００３０】
また、上記第１〜３の実施形態で説明した電源入力部１は、コネクタやヒュージブルリンクに接続される構成であったが、これ以外に前記電源入力部は、プリント基板にはんだ付けされて該プリント基板から電源が入力される構成であっても良い。
【００３１】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００３２】
１  電源入力部
２  音叉状端子部（出力部）
３，４，５  基板接続部（出力部）
７  電気接続箱
１０，２０，３０  バスバ
１１，２１，３１  幹部
１２〜１５，２３〜２５，３３〜３５  枝部
１６，２６，３６  配索部
【図１】
2014007912.tif 000003
【図２】
2014007912.tif 000004
【図３】
2014007912.tif 000005
【図４】
2014007912.tif 000006
【図５】
2014007912.tif 000007
【図６】
2014007912.tif 000008
【図７】
2014007912.tif 000009